(57)【要約】      （修正有）【課題】排泄時に小便が便器から飛散等することを防止可能で、各部を清潔に維持する作業を容易に実施可能で、小便の残存等に伴う異臭、及び小便の排出先である下水等から立ち上がる臭気を最小限に抑制可能な便器付設型小便排出装置を提供する。【解決手段】小便排出装置１０は、小便排出管２０と、洗浄管３０を有する。小便排出管２０には、男性器を受容可能な受容部２２と、小便排出路２４とが設けられている。小便排出管２０は、便器５０の排水管路５４に設けられた水封トラップ部５６に沿って挿通することができる。また、受容部２２に対して洗浄管３０を接続することで、洗浄水供給系統を介して洗浄水を供給し、小便排出管２０を洗浄することができる。【選択図】図１
2014005620.tif 000002
【特許請求の範囲】
【請求項１】
性器を受容可能な受容部、及び前記受容部において放出された小便を通過させることが可能な小便排出路を備えた小便排出管と、
一端側が洗浄水を供給する洗浄水供給系統に接続可能であり、他端側が前記受容部に対して接続可能な洗浄管とを有し、
前記小便排出管が、便器に接続された排水管路とは別系統として設けられており、前記排水管路まで到達させることが可能であると共に、中途において屈曲させることにより水封可能なトラップ構造部を形成可能であり、
前記受容部に対して前記洗浄管を接続し、前記洗浄水供給系統を介して洗浄水を供給可能であることを特徴とする便器付設型小便排出装置。
【請求項２】
前記トラップ構造部が、前記小便排出路を前記排水管路の中途に設けられた水封トラップ部に沿って挿通することにより形成可能であることを特徴とする請求項１に記載の便器付設型小便排出装置。
【請求項３】
前記受容部が、前記小便排出路の軸心周りに回動自在に設置されていることを特徴とする請求項１又は２に記載の便器付設型小便排出装置。
【請求項４】
前記小便排出管の一部又は全部が、便器に内蔵されていることを特徴とする請求項１〜３のいずれかに記載の便器付設型小便排出装置。
【請求項５】
気流を発生させることが可能な気流発生装置を有し、
前記気流発生装置が、前記小便排出路に対して小便の流れ方向上流側から下流側に向かう方向に気流を発生させることが可能なように接続されていることを特徴とする請求項１〜４のいずれかに記載の便器付設型小便排出装置。
【請求項６】
前記小便排出管及び前記洗浄管が、洋式便器の便座の裏面側に着脱自在に設置されていることを特徴とする請求項１〜５のいずれかに記載の便器付設型小便排出装置。
【請求項７】
前記受容部が、洋式便器の便座に対して着座した状態において男性器が到来する位置に着脱自在に設置されており、
前記便座内を通過するように形成された便座内流路を介して前記小便排出路と前記受容部とが連通していることを特徴とする請求項１〜５のいずれかに記載の便器付設型小便排出装置。
【発明の詳細な説明】
【技術分野】
【０００１】
本発明は、排泄時に小便が便器から飛散等することを防止可能な便器付設型小便排出装置に関する。
【背景技術】
【０００２】
従来、排泄時に小便が便器から飛散することを防止するために、下記特許文献１，２に開示されているような機器類が提供されている。下記特許文献１の洋式専用男性小便器は、便座に対して脱着可能とされた支持部材に、小便用筒材を取り付けたものである。この洋式専用男性小便器によれば、小便用筒材に対して男性器を挿入した状態で小便を排泄することで、小便の飛散等を防止できる。
【０００３】
また、下記特許文献２の洋式便器用小便機器は、小便受け部と、小便受け部で受けた小便を小便受け部から洋式便器に接続するパイプ部とからなるものである。この洋式便器用小便機器においては、小便受け部が男性器を充分内包出来る容量を持つものとすることで、より一層小便の飛散等を確実に防止可能としている。
【先行技術文献】
【特許文献】
【０００４】
【特許文献１】特開２００７−２８５１０４号公報
【特許文献２】特開平５−３３９９７３号公報
【発明の概要】
【発明が解決しようとする課題】
【０００５】
上述した特許文献１，２に開示されている従来技術のように、小便用筒材あるいは小便受け部を設け、これらに対して男性器を挿入した状態で小便を排泄することとすれば、小便の飛散等を最小限に抑制できる。しかしながら、従来技術においては、小便用筒材あるいは小便受け部のような男性器が挿入される部位や、これに小便排出用として接続されたパイプ部を清潔な状態に維持するための方策が十分施されているとは言えない。すなわち、特許文献１においては、小便用筒材を着脱自在とする旨の示唆はなされているものの、男性器が挿入される部分を使用の度に清潔に維持するには手間を要する。また、特許文献２のように小便排出用のパイプ部を設けた場合には、パイプ部に小便が残存することにより、時間経過と共に異臭が発生するという問題がある。
【０００６】
また、上記特許文献１，２に開示されている従来技術においては、小便の飛散等を防止するための方策が採られているが、小便の排出先である下水等から立ち上がる臭気がパイプ部を介して逆流してくることに対する対策が講じられていない。
【０００７】
そこで本発明は、排泄時に小便が便器から飛散等することを防止可能であると共に、各部を清潔に維持する作業を容易に実施可能でありつつ、小便の残存等に伴う異臭、及び小便の排出先である下水等から立ち上がる臭気を最小限に抑制可能な便器付設型小便排出装置の提供を目的とした。
【課題を解決するための手段】
【０００８】
（１）上述した課題を解決すべく提供される本発明の便器付設型小便排出装置は、性器を受容可能な受容部、及び前記受容部において放出された小便を通過させることが可能な小便排出路を備えた小便排出管と、一端側が洗浄水を供給する洗浄水供給系統に接続可能であり、他端側が前記受容部に対して接続可能な洗浄管とを有し、前記小便排出管が、便器に接続された排水管路とは別系統として設けられており、前記排水管路まで到達させることが可能であると共に、中途において屈曲させることにより水封可能なトラップ構造部を形成可能であり、前記受容部に対して前記洗浄管を接続し、前記洗浄水供給系統を介して洗浄水を供給可能であることを特徴とするものである。
【０００９】
上記（１）のように、小便排出管に性器を受容可能な受容部を設けることにより、排泄時に小便が便器から飛散等することを回避しうる。また、上記（１）のように、洗浄水供給系統に接続される洗浄管を設けることにより、小便の排泄後に洗浄管を受容部に接続して洗浄水を供給するだけで洗浄水によって小便排出管を洗浄し、清潔に維持することができる。これにより、小便が小便排出管の各部に残存する等して発生する異臭を最小限に抑制することができる。
【００１０】
上記（１）の便器付設型小便排出装置は、小便排出管を排水方向下流側まで到達させることにより、小便排出管を介して排出された小便が便器内に留まることを防止できる。また、上記（１）の便器付設型小便排出装置小便排出管を排水管路の中途において屈曲させることによりトラップ構造部を形成することができる。そのため、小便の排泄後に洗浄管を介して小便排出管に導入された洗浄水をトラップ構造部に溜め、小便の排出先（下水側）から立ち上がる臭気を遮断することができる。
【００１１】
（２）上述した本発明の便器付設型小便排出装置は、前記トラップ構造部が、前記小便排出路を前記排水管路の中途に設けられた水封トラップ部に沿って挿通することにより形成可能であることを特徴とするものであることが望ましい。
【００１２】
上記（２）のような構成とすることにより、排水管路に設けられた水封トラップに沿って小便排出路を挿通するだけで、小便排出路にトラップ構造部を形成することができる。
【００１３】
（３）上述した本発明の便器付設型小便排出装置は、前記受容部が、前記小便排出管の軸心周りに回動自在に設置されていることを特徴とするものであることが望ましい。
【００１４】
上記（３）に係る発明は、身長等の身体的特性、あるいは男性器が勃起状態であるか否か等の条件により、性器を無理なく受容させうる角度が相違することを想定したものである。本発明のような構成とした場合、小便排出管に対して性器を挿入する際に性器の角度等に応じて受容部を適宜回動させることにより、受容部に対して無理なく性器を受容させることができる。これにより、小便を快適に排泄可能とすると共に、性器が受容部にうまく受容されずに小便が飛散する等の不具合を回避することができる。
【００１５】
（４）本発明の便器付設型小便排出装置は、前記小便排出路の一部又は全部が、便器に内蔵されているものであることが好ましい。
【００１６】
上記（４）のような構成とすることにより、便器付設型小便排出装置を便器に対してすっきりとした状態で設置可能となる。
【００１７】
（５）本発明の便器付設型小便排出装置は、気流を発生させることが可能な気流発生装置を有し、前記気流発生装置が、前記小便排出路に対して小便の流れ方向上流側から下流側に向かう方向に気流を発生させることが可能なように接続されているものであることが望ましい。
【００１８】
上記（５）のような構成とした場合には、小便排出管を介して小便を排泄した後、気流発生装置の作動に伴い発生する気流によって小便排出管の各部に残存している小便を下流側に向けて強制的に押し流し、排出させうる。これにより、小便排出管をより一層清潔に維持することが可能となる。また、洗浄水によって小便排出管を洗浄した後、気流発生装置を作動させて発生させた気流によって、小便排出管内を比較的早期に乾燥させることが可能となるので、使用後でも雑菌の繁殖を防止することができ、小便排出管をさらに清潔な状態とすることができる。
【００１９】
（６）本発明の便器付設型小便排出装置は、前記小便排出管及び前記洗浄管が、洋式便器の便座の裏面側に着脱自在に設置されていることが望ましい。
【００２０】
上記（６）のような構成とした場合には、便座を降ろした状態とすることにより、小便排出管及び洗浄管を便座の裏側に隠したすっきりとした状態とすることができる。また、便座を上げて小便排出管及び洗浄管を取り外すことにより、小便の排泄及び洗浄を容易に実施しうる。
【００２１】
（７）本発明の便器付設型小便排出装置は、前記受容部が、洋式便器の便座に対して着座した状態において男性器が到来する位置に着脱自在に設置されており、前記便座内を通過するように形成された便座内流路を介して前記小便排出路と前記受容部とが連通しているものであっても良い。
【００２２】
上記（７）の便器付設型小便排出装置は、受容部が洋式便器の便座に対して着座した状態において男性器が到来する位置に着脱自在に設置されている。そのため、小便を排泄する際に、便座に着座した状態で男性器を受容部に挿入することで、便器の外に小便が飛散することを防止できる。
【００２３】
また、上記（７）の便器付設型小便排泄装置は、受容部が便座に対して着脱可能とされている。そのため、男性が起立した状態で小便を排泄する場合、あるいは女性が小便を排泄する際に受容部を取り外すことで、小便を受容部内に排泄することができる。
【発明の効果】
【００２４】
本発明は、排泄時に小便が便器から飛散等することを防止可能としつつ、各部を清潔に維持する作業を容易に実施可能でありつつ、小便の残存等に伴う異臭、及び小便の排出先である下水等から立ち上がる臭気を最小限に抑制可能な便器付設型小便排出装置を提供することができる。
【図面の簡単な説明】
【００２５】
【図１】（ａ）は本発明の第一実施形態に係る便器付設型小便排出装置を便器に取り付け、便座を上げた状態を示す図面、（ｂ），（ｃ）は受容部の使用状態を示す説明図である。
【図２】図１に示す便器及び便器付設型小便排出装置を示す側面図である。
【図３】図１に示す便器及び便器付設型小便排出装置を示す正面図である。
【図４】（ａ）は本発明の第二実施形態に係る便器付設型小便排出装置を便器に取り付け、便座を上げた状態を示す図面、（ｂ）は変形例に係る受容部の構成を示す図面である。
【図５】図４に示す便器及び便器付設型小便排出装置を示す側面図である。
【図６】本発明の第三実施形態に係る便器付設型小便排出装置を便器に取り付け、便座を降ろした状態を示す図面である。
【図７】図６に示す便器及び便器付設型小便排出装置を示す正面図である。
【発明を実施するための形態】
【００２６】
≪第一実施形態≫
以下、本発明の第一実施形態に係る便器付設型小便排出装置１０（以下、単に「小便排出装置１０」とも称す）について、図面を参照しつつ詳細に説明する。図１〜図３に示すように、小便排出装置１０は、水洗式の便器５０（洋式便器）に付属するように設置され、主として男性が小便を排泄する際に使用されるものである。小便排出装置１０は、小便排出管２０と、洗浄管３０とに大別される。小便排出管２０及び洗浄管３０は、便器５０の便座５２の裏面側（使用者が着座する面とは反対側）に着脱自在に配置される。
【００２７】
図１に示すように、小便排出管２０は、受容部２２及び小便排出路２４を具備している。受容部２２は、男性器を受容可能とされた筒状の部材である。受容部２２は、樹脂や金属等によって形成することが可能であるが、男性器が直接接触する部分であるため、寒冷期に接触しても冷たくなく、肌触りの良い材質で作成されることが望ましい。具体的には、受容部２２は、シリコン樹脂、ポリエチレン樹脂、あるいはポリスチレン樹脂等によって構成されることが望ましい。また、受容部２２は、排泄された小便が接触する部分でもあるため、雑菌等が繁殖しにくい材質を選定することが望ましい。具体的には、前述したような樹脂に対して、抗菌剤等を配合したものを受容部２２の材質として選定することが望ましい。
【００２８】
受容部２２は、単一の筒体によって形成することも可能であるが、本実施形態では、２つの筒体２２ａ，２２ｂを互いに連通させつつ回動自在に接続した構成とされている。そのため受容部２２は、小便排出路２４との接続部に加え、筒体同士の接続部分（中間部）においても回動させることができる。具体的には、受容部２２をなす筒体２２ａ，２２ｂは、それぞれ湾曲した形状とされている。そのため、筒体２２ａ，２２ｂを相対回転させることにより、図１（ｂ）に示すように筒体２２ａ，２２ｂが同一方向に湾曲した状態、図１（ｃ）に示すように筒体２２ａ，２２ｂが反対方向に湾曲した状態、あるいはこれらの中間の状態とすることができる。男性器が勃起状態である場合には、受容部２２を図１（ｂ）に示すような状態とすることで、図中に矢印で示すように下方から上方に向けて無理なく男性器を挿入することが可能となる。また、男性器が非勃起状態である場合には、受容部２２を図１（ｃ）に示すような状態とすることで、図中に矢印で示すように上方から下方に向けて無理なく男性器を挿入することが可能となる。受容部２２は、着脱や交換が不可能なものであっても良いが、衛生上の問題等を考慮し、適宜着脱や交換が可能なものであることが望ましい。
【００２９】
小便排出路２４は、受容部２２に対して連通し、受容部２２において放出された小便が通過可能なパイプ状の部材である。小便排出路２４は、可撓性を有する素材によって形成されている。そのため、便座５２の裏面側に装着されている小便排出管２０を便座５２から取り外すことで、受容部２２と共に小便排出路２４を任意の位置まで到達させることができる。また、図２に示すように、小便排出路２４は、便器５０に接続された排水管路５４において、逆Ｕ字型に屈曲させる等して形成された水封トラップ部５６、あるいは水封トラップ部５６を越えてさらに下流側まで挿通可能な長さとされている。
【００３０】
図１に示すように、小便排出路２４において、便座５２の裏面側に配置される部分（以下、「上流部２４ａ」とも称す）は外部に露出している。一方、図２や図３に示すように、上流部２４ａよりも小便排出路２４における小便の流れ方向下流側であって、排水管路５４に挿通される部分（以下、「下流部２４ｃとも称す）、及び上流部２４ａと下流部２４ｃとの間の部分（以下、「中流部２４ｂ」とも称す）は、便器５０に内蔵されている。具体的には、便器５０において上端側が開口した鉢状のボウル部５８と、便器５０の外側面６０との間に形成された空間６２内に小便排出路２４の中流部２４ｂが内蔵されている。また、小便排出路２４の下流部２４ｃは、水封トラップ部５６に沿うように屈曲させた状態で挿通される。従って、小便排出装置１０の設置状態において、小便排出路２４の下流部２４ｃは、水封トラップ部５６と同様に、上流部２４ａ側から水を導入することにより水封可能なように屈曲した状態となり、トラップ構造部２６を形成することができる。
【００３１】
図１に示すように、洗浄管３０は、一端側に上流側接続部３２を有し、他端側に下流側接続部３４を有するパイプ状の部材である。上流側接続部３２は、小便排出管２０の洗浄に用いるための洗浄水の供給源たる洗浄水供給系統に接続される部分である。具体的には、上流側接続部３２は、水道をなす配管に接続可能とされている。また、下流側接続部３４は、小便排出管２０の受容部２２に接続される部分である。下流側接続部３４の形状等はいかなるものであっても良いが、受容部２２に対して水密状態となるように接続可能なように、パッキン等を配したものであることが望ましい。洗浄管３０をなす配管は、小便排出管２０の小便排出路２４と同様に可撓性を有する素材によって形成されている。洗浄管３０は、小便排出管２０と同様に、便器５０をなす便座５２の裏面側に着脱自在に設置されている。
【００３２】
続いて、小便排出装置１０の使用態様について説明する。小便排出装置１０を使用して小便を排出する場合には、先ず小便排出管２０の受容部２２に男性器を挿入する。男性器の挿入に際し、小便排出管２０を便座５２の裏面側から取り外して使用者の身体に近づけるようにする他、便座５２に小便排出管２０を取り付けたままの状態で受容部２２を回動させて使用者の側に向けることが可能である。また、小便排出管２０に対する男性器の挿入に際し、男性器の角度等に応じて受容部２２を適宜回動させることで、受容部２２に対して無理なく男性器を挿入し、受容させることができる。このようにして男性器を受容部２２に挿入した状態において小便を排泄すると、小便は小便排出路２４を介して便器５０に接続された排水管路５４に向けて排出される。そのため、小便排出管２０内に排泄された小便は、便器５０のボウル部５８や、ボウル部５８の底面に形成された開口部６４内に溜まることなく、下水側に排出される。
【００３３】
上述したようにして小便の排泄が完了すると、小便排出管２０の受容部２２に対して、洗浄管３０の下流側接続部３４を接続する。この状態において、洗浄管３０を介して小便排出管２０に洗浄水（上水）を導入することにより、小便排出管２０内を洗浄することができる。また、小便排出管２０内に導入された上水が、小便排出路２４の下流部２４ｃに形成されたトラップ構造部２６に溜まり、小便排出路２４を水封した状態になる。これにより、下水側から立ち上る臭気をトラップ構造部２６において遮断し、小便排出路２４を介してトイレ内に臭気が漂うことを防止できる。
【００３４】
上述したように、本実施形態の小便排出装置１０によれば、小便排出管２０の受容部２２に男性器を挿入して排泄することにより、小便が便器５０の外側に飛散等することを防止できる。また、洗浄管３０を設け、小便の排泄後に洗浄管３０を受容部２２に接続して洗浄水を供給可能とすることにより、簡単な作業により小便排出管２０を洗浄し、清潔に維持することができる。これにより、小便が小便排出管２０の各部に残存する等して発生する異臭を最小限に抑制することができる。
【００３５】
また、本実施形態の小便排出装置１０は、受容部２２が、小便排出管２０の軸心周りに回動可能とされている。そのため、使用者の身長等の身体的特性、あるいは男性器が勃起状態であるか否か等の使用条件の相違があったとしても、受容部２２を適宜回動させることにより、受容部２２に対して無理なく性器を受容させることができる。これにより、小便を快適に排泄可能とすると共に、性器が受容部２２にうまく受容されずに小便が飛散する等の不具合を回避することができる。
【００３６】
上述した小便排出装置１０は、受容部２２を回転可能としたものであるが、回転可能とすることに代えて、あるいは回転可能とすることに加えて、受容部２２を伸縮可能なものとしても良い。これにより、体格差を考慮しつつ受容部２２の長さを調整することが可能となり、より一層使用感を向上させうる。
【００３７】
上述した小便排出装置１０においては、小便排出管２０及び洗浄管３０が、洋式便器５０の便座の裏面側に着脱自在に設置されている。そのため、便座５２を降ろした状態とすると、小便排出管２０及び洗浄管３０が便座の裏側に隠れ、外観をすっきりさせることができる。また、便座５２を上げて小便排出管２０及び洗浄管３０を取り外すことにより、小便の排泄及び洗浄を容易に実施しうる。
【００３８】
また、便座５２がヒーターを具備したものである場合には、小便排出管２０を洋式便器５０の便座５２の裏面側に取り付けることにより、ヒーターにおいて発生する熱を利用して受容部２２を保温することが可能である。これにより、寒冷期においても、冷たさを感じることなく受容部２２に男性器を挿入することが可能となり、より一層使用感を向上させうる。
【００３９】
また、小便排出装置１０においては、小便排出路２４の中流部２４ｂよりも下流側の部位が便器５０に内蔵されている。また、洗浄管３０についても、一部が便器５０内に収容されている。そのため、小便排出装置１０は、便器５０に対してすっきりとした状態で設置することができる。なお、本実施形態においては、小便排出路２４及び洗浄管３０について一部を便器５０内に内蔵させた構成を例示したが、本発明はこれに限定されるものではなく、小便排出路２４あるいは洗浄管３０の一方又は双方について便器５０の外側に露出した状態で設置されるものとしても良い。かかる構成とすることにより、便器５０に対する小便排出装置１０の取り付け等を一層容易なものとすることができる。また、小便排出路２４あるいは洗浄管３０の一方又は双方について、全部を便器５０内に収容させ、必要に応じて小便排出路２４を便器５０から取り出し可能としても良い。かかる構成とすることにより、小便排出装置１０をより一層すっきりと設置することが可能となる。さらに、小便排出路２４あるいは洗浄管３０の一方又は双方について、その一部又は全部を便座５２内に収容あるいは嵌め込み、必要に応じて便座５２から引き出して使用可能とすることも可能である。これにより、小便排出装置１０を外観を損なうことなくすっきりと設置することが可能となる。
【００４０】
本実施形態においては、小便排出路２４の中流部２４ｂを便器５０内の空間６２に収容させた構成を例示したが、本発明はこれに限定されるものではなく、空間６２内に収容させないこととしても良い。すなわち、小便排出路２４の中流部２４ｂをボウル部５８内に挿入し、下流部２４ｃを開口部６４を介して排水管路５４内に挿入するようにしても良い。かかる構成とした場合についても、小便の飛散を防止し、ボウル部５８内を小便により汚すことを回避しつつ、小便排出装置１０を容易に設置することが可能となる。
【００４１】
本実施形態においては、小便排出路２４をなす配管を排水管路５４内に直接挿入することによって水封トラップ部５６に沿うように屈曲させ、トラップ構造部２６を形成した例を示したが、本発明はこれに限定されるものではない。すなわち、小便排出路２４をなす配管が排水管路５４の水封トラップ部５６を通過することなく、便器５０の内部あるいは外部において水封トラップ部５６と同様に屈曲した状態とすることにより、トラップ構造部２６と同様のトラップ構造部を形成しても良い。また、水封トラップ５６内に小便排出路２４をなす配管を通過させずにトラップ構造部２６を形成する場合には、小便排出路２４をなす配管を、水封トラップ部５６をなす配管部分に沿わせて固定等しても良い。
【００４２】
本実施形態においては、洗浄管３０の上流側接続部３２を、水道をなす配管に対して接続した例を示したが、本発明はこれに限定されるものではなく、適宜の水源に接続することが可能である。具体的には、便座５２が温水洗浄便座である場合には、この便座５２に対して洗浄水を供給するための水源に対して上流側接続部３２を接続した構成としても良い。
【００４３】
≪第二実施形態≫
以下、本発明の第二実施形態に係る小便排出装置１００について、図面を参照しつつ詳細に説明する。なお、本実施形態の小便排出装置１００において、上述した第一実施形態の小便排出装置１０、及び小便排出装置１０が設置される便器５０と構成が共通する構成部材については、第一実施形態において各構成部材に付した符号に１００を付加したものを符号として用い、詳細の説明については省略する。
【００４４】
図４に示すように、小便排出装置１００は、小便排出装置１０と同様に、便器１５０に付属するように設置されるものである。小便排出装置１００は、小便排出管１２０と、洗浄管１３０とに大別される。小便排出管１２０及び洗浄管１３０は、第一実施形態において説明した小便排出管２０及び洗浄管３０と構成が同一であるため、詳細の説明については省略する。
【００４５】
図４及び図５に示すように、小便排出装置１００は、気流発生装置１４０を備えている点において、上述した小便排出装置１０と構成が相違している。気流発生装置１４０は、例えば便器１５０の側方あるいは便器１５０の内部等の適宜の場所に設置されており、小便排出管１２０の小便排出路１２４をなす配管に対して接続されている。本実施形態において、気流発生装置１４０は、便器１５０の側方に設置されている。気流発生装置１４０は、小便排出管１２０内に小便の流れ方向上流側から下流側に向かう方向に気流を発生させうる。
【００４６】
続いて、小便排出装置１００の使用態様について説明する。小便排出装置１００は、第一実施形態の小便排出装置１０と同様に、小便排出管１２０の受容部１２２に男性器を挿入した状態とすることにより、排泄された小便を排水管路１５４側（下水側）に向けて排出させることができる。
【００４７】
小便排出装置１００においては、小便排出管１２０を介して小便を排泄した後、気流発生装置１４０の作動に伴い発生する気流により、小便排出管１２０の各部に残存している小便を下流側に向けて強制的に押し流し、確実に排水管路１５４側（下水側）に排出させることができる。
【００４８】
気流発生装置１４０を作動させることによる小便の強制排出が完了した後は、上述した小便排出装置１０の場合と同様に、小便排出管１２０の受容部１２２に対して洗浄管１３０を接続することで、容易に小便排出管１２０内を洗浄することができる。また、小便排出管１２０内に導入された洗浄水（上水）が小便排出路１２４の下流部１２４ｃに形成されたトラップ構造部１２６に溜まることで小便排出路１２４が水封され、下水側から立ち上る臭気が小便排出路１２４を介して室内に放出されることを防止できる。また、洗浄水によって小便排出管１２０を洗浄した後に、気流発生装置１４０を作動させて発生させた気流によって、小便排出管１２０内を比較的早期に乾燥させる場合には、使用後でも雑菌の繁殖を防止することができ、小便排出管１２０をさらに清潔な状態とすることができる。
【００４９】
上述したように気流発生装置１４０を設ける場合には、気流によって小便を確実に下流側に押し切るべく、気流が小便排出管１２０内において上流側に向けて逆流すること、あるいは滞留することを防止できるように、気流発生装置１４０の設置位置等を調整することが望ましい。また、気流発生装置１４０により発生する気流を確実に下流側に向けて流すべく、気流を下流側に案内するための気流案内部材等を小便排出管１２０内に設けること、あるいは気流の逆流を防止するための逆流防止部材等を小便排出管１２０内に設けることも可能である。
【００５０】
また、小便排出装置１００において用いる気流発生装置１４０は、送風により小便排出管１２０内に気流を発生させるものに限定されない。具体的には、気流発生装置１４０として、ポンプ等の吸引装置を用いることにより、小便排出管１２０の上流側から下流側に向かう方向への気流と共に、小便排出管１２０内に存在する小便を排出させるようにしても良い。
【００５１】
本実施形態の小便排出装置１００は、上述したように小便排出管１２０を介して小便を排泄した後に気流発生装置１４０を作動させる使用方法の他、小便排出管１２０の受容部１２２に男性器を挿入している状態において気流発生装置１４０を作動させて使用することも可能である。このように受容部１２２に男性器を挿入しつつ気流発生装置１４０を作動させる方法で使用する場合には、小便排出管１２０内が負圧になり、男性器に吸引力が作用してしまい、使用感が損なわれる可能性がある。そこで、かかる不具合を解消すべく、図４（ｂ）に示すように、男性器が挿入される受容部１２２の適所（図示例においては、筒体１２２ｂ）に通気経路１７０を一又は複数設けることが望ましい。
【００５２】
具体的には、通気経路１７０は、受容部１２２の外側に向けて開口した外壁開口１７２と、受容部１２２の内側に向けて開口した内壁開口１７４とを、筒体１２２ｂをなす壁面内に形成された管状の連通路１７６によって連通させたものである。外壁開口１７２は、受容部１２２の入口近傍に設けられている。内壁開口１７４は、外壁開口１７２に対して受容部１２２の入口から下流側に離れた位置に設けられている。従って、通気経路１７０は、受容部１２２をなす筒体１２２ｂの壁中を通過する細い空気の通り道を形成している。かかる構成とすることにより、気流発生装置１４０を作動させた場合であっても、各通気経路１７０を介して外気が受容部１２２内に導入され、男性器に作用する吸引力を最小限に抑制することができる。これにより、使用者に与える不快感を最小限に抑制しうる。なお、通気経路１７０の構造あるいは配置については、前述したものに限定されず、受容部１２２の外側から内側に向けて外気をスムーズに導入可能であると共に、受容部１２２の内側から小便等の水分が漏洩を回避しうるものであればいかなるものであっても良い。
【００５３】
≪第三実施形態≫
以下、本発明の第三実施形態に係る小便排出装置２００について、図面を参照しつつ詳細に説明する。なお、本実施形態の小便排出装置２００において、上述した第一実施形態の小便排出装置１０、及び小便排出装置１０が設置される便器５０と構成が共通する構成部材については、第一実施形態において各構成部材に付した符号に２００を付加したものを符号として用い、詳細の説明については省略する。
【００５４】
図６及び図７に示すように、小便排出装置２００は、小便排出装置１０と同様に、便器２５０に付属するように設置されるものである。小便排出装置２００は、小便排出装置１０と同様に、小便排出管２２０及び洗浄管２３０を有する。また、小便排出装置２００は、受容部２６０（以下、受容部２２０と区別して「着座用受容部２６０」とも称す）を備えている。小便排出管２２０及び洗浄管２３０は、第一実施形態において説明した小便排出管２０及び洗浄管３０と構成が同一であるため、詳細の説明については省略する。
【００５５】
本実施形態の小便排出装置２００においては、男性器用として受容部２２２が設けられているのに加えて、着座用受容部２６０が設けられている。着座用受容部２６０は、便器２５の便座２５２に対して着座した状態において男性器が到来する位置に着脱自在に設置されている。着座用受容部２６０は、便座２５２に着座した状態で使用するものであり、男女を問わず小便の排泄に使用することができる。
【００５６】
着座用受容部２６０は、箱形の容器によって形成されており、便座２５２内を通過するように形成された便座内流路２６４を介して小便排出管２２０と連通している。そのため、着座用受容部２６０に排泄された小便を、便座内流路２６４を介して小便排出路２２４に合流させることができる。また、着座用受容部２６０をなす箱体は、図６に矢印で示すように、便座２５２に着座した状態において側方（便座２５２の開口部側）から男性器を挿入することができる。また、着座用受容部２６０は、天面を開閉可能することができる。そのため、着座用受容部２６０を取り外し、天面を開いた状態として女性器にあてがうことにより、女性も着座用受容部２６０に対して小便を排泄することができる。
【００５７】
着座用受容部２６０は、受容部２２２と同様に樹脂や金属等によって形成することが可能であるが、男性器あるいは女性器が直接接触する部分であるため、寒冷期に接触しても冷たくなく、肌触りの良い材質で作成されることが望ましい。従って、着座用受容部２６０において、特に性器が接触する部位については、シリコン樹脂、ポリエチレン樹脂、あるいはポリスチレン樹脂等によって構成されることが望ましい。また、着座用受容部２６０は、排泄された小便が接触する部分でもあるため、雑菌等が繁殖しにくい材質を選定することが望ましい。具体的には、前述したような樹脂に対して、抗菌剤等を配合したものを着座用受容部２６０の材質として選定することが望ましい。
【００５８】
洗浄管２３０は、小便排出管２２０の端部に設けられた受容部２２２に対して下流側接続部２３４を接続可能とされている。洗浄管２３０と受容部２２２との接続は、上記第一実施形態において示したのと同様にして接続することができる。また、洗浄管２３０の中途において分岐された分岐洗浄管２３２が、便座２５２内を通過するように配され、着座用受容部２６０に接続されている。そのため、洗浄管２３０を介して上水を供給することにより、着座用受容部２６０についても洗浄することができる。
【００５９】
続いて、小便排出装置２００の使用態様について説明する。小便排出装置２００は、男性が小便を排泄する場合に加え、女性が小便を排泄する場合にも使用できる。小便排出装置２００を男性が起立した状態で小便を排泄するために使用する場合には、第一実施形態の小便排出装置１０と同様に、小便排出管２２０の受容部２２２に男性器を挿入した状態で小便を排泄することにより、排水管路２５４側（下水側）に向けて排出させることができる。
【００６０】
また、小便排出装置２００を用いて便座２５２に着座した男性あるいは女性が小便を排泄する場合には、図６に示すように便座２５２を降ろした状態とされる。この状態において、男性が便座２５２に着座している場合には、着座用受容部２６０に対して側方から男性器を挿入することで、小便を着座用受容部内に排泄することができる。また、着座用受容部２６０を便座２５０から取り外し、天面を開いた状態とすることで、男女を問わず、性器を着座用受容部２６０内に受容させ、小便を排泄することができる。着座用受容部２６０内に排泄された小便は、便座内流路２６４を介して小便排出路２２４に合流し、下水側に排出される。
【００６１】
上述したようにして小便の排泄が完了した後、受容部２２２については、上述した小便排出装置１０の場合と同様に洗浄管２３０を接続することにより、各部を洗浄することができる。また、着座用受容部２６０については、洗浄管２３０、及び便座２５２内を通過するように配された分岐洗浄管２３２を介して着座用受容部２６０に上水を供給することにより洗浄することができる。小便排出管２２０内に導入された洗浄水（上水）が小便排出路２２４により形成されたトラップ構造部２２６に溜まって小便排出路２２４を水封した状態になる。これにより、下水側から立ち上る臭気が、小便排出路２２４を介して室内に放出されることを防止できる。
【００６２】
また、本実施形態の小便排出装置２００は、男性が小便を排泄する場合に加え、女性が小便を排泄する際にも使用することができ、利便性の面において優れている。また、女性が小便を使用する際にも小便排出装置２００を使用可能であるため、便器２５０内に小便を排泄する場合に比べて排泄後に使用する水量を抑制でき、節水に資することが可能となる。
【産業上の利用可能性】
【００６３】
本発明の便器付設型小便排出装置は、従来公知の便器全般において排泄時に小便が便器から飛散等することを防止するために利用可能であり、一般家庭における利用に加え、病院や老人ホーム、介護施設等における小便の飛散の懸念が高い場所に設置される便器において有効利用可能である。
【符号の説明】
【００６４】
１０，１００，２００  便器付設型小便排出装置（小便排出装置）
２０，１２０，２２０  小便排出管
２２，１２２，２２２  受容部
２４，１２４，２２４  小便排出路
２６，１２６，２２６  トラップ構造部
３０，１３０，２３０  洗浄管
５０，１５０，２５０  便器
５２，１５２，２５２  便座
５４，１５４，２５４  排水管路
５６，１５６，２５６  水封トラップ部
１４０                  気流発生装置
２６０                  受容部（着座用受容部）
２６２                  開口部
２６４                  便座内流路
【図１】
2014005620.tif 000003
【図２】
2014005620.tif 000004
【図３】
2014005620.tif 000005
【図４】
2014005620.tif 000006
【図５】
2014005620.tif 000007
【図６】
2014005620.tif 000008
【図７】
2014005620.tif 000009